(57)【要約】      （修正有）【課題】低価格にて使用できる優良な使い捨て用寝具を提供する。【解決手段】ヒノキやスギなどの削り屑もしくはチップを和紙等の天然素材の通気性シートで包装したことを特徴とする。また、前記和紙等の天然素材の通気性シートによる包装が、複数の区画に区分する中仕切りを有し、各区画に均等にヒノキやスギなどの削り屑もしくはチップを収納したことを特徴とする。前記和紙等の天然素材の通気性シートは、目の粗い布や所定の間隔で配置した糸によって補強されている。【選択図】図２
0003160798.tif 000002
【実用新案登録請求の範囲】
【請求項１】
ヒノキやスギなどの削り屑もしくはチップを和紙等の天然素材の通気性シートで包装したことを特徴とする使い捨て用寝具類。
【請求項２】
前記和紙等の天然素材の通気性シートによる包装が、複数の区画に区分する中仕切りを有し、各区画に均等にヒノキやスギなどの削り屑もしくはチップを収納したことを特徴とする請求項１に記載の使い捨て用寝具類。
【請求項３】
前記和紙等の天然素材の通気性シートが、目の粗い布や所定の間隔で配置した糸によって補強されていることを特徴とする請求項１に記載の使い捨て用寝具類。
【考案の詳細な説明】
【技術分野】
【０００１】
この考案は使い捨て用寝具に関し、詳しくは病院、介護施設等における介護老人等から発せられる独特な匂い等の排便処理用品における環境保全や、死者の最後を整え飾るための備品等として使用する使い捨て用寝具に関する。
【背景技術】
【０００２】
従来、和紙と木材チップとを組み合わせた寝具類としては、特開平８−２１４９９７号公報（特許文献１参照）に記載された健康座布団が知られている。
しかしながらこの健康座布団は、木炭もしくはチップαを充填した複数の和紙袋を縦横整然と平坦整列して収容するとともに、当該和紙袋の相互隣接境界線に沿って和紙袋群を固定自在な縫目線を外部から入れた木炭もしくはチップ用密閉布製偏平袋と、桐チップβ群を充填し所要箇所に桐チップβ群の偏寄移動を阻止自在なチップ固定縫目を通したチップ用密閉布製偏平袋とを上下二段に重層して密閉布製外被袋内に装填したものである。
すなわち、木炭もしくはチップαは和紙袋に充填された上で木炭もしくはチップ用密閉布製偏平袋に、また桐チップβはチップ用密閉布製偏平袋にそれぞれ収納されるのであって、ヒノキ（桧）やスギ（杉）などの削り屑もしくはチップを和紙等の天然素材の通気性シートで包装する点については何も示唆するところがない。
【０００３】
したがって、ヒノキやスギなどの削り屑もしくはチップを和紙等の天然素材の通気性シートで包装したことを特徴とする使い捨て用寝具類は新規である。
【先行技術文献】
【特許文献】
【０００４】
【特許文献１】特開平８−２１４９９７号公報
【考案の概要】
【考案が解決しようとする課題】
【０００５】
ところで、病院や介護施設等、また葬祭分野等の寝具備品にあっては、介護老人や死者等から発せられる独特な臭い等の問題は、排便処理用品等の問題とあいまって快適な環境作りの常に大きなテーマとして位置続けられている。
また、死者の最後を整え飾るための備品等はまったく市場に無いため、その仕事に直接携わる関係者の独自の判断で当該作業を行っているのが実情である。
そして、その延長線上にあるのが、葬儀の終了後、死者が使用していた寝具はほとんどが可燃ごみとして捨てられているという原状である。最後だから高価な布団に寝かせ上げたいと思う気持ちもある中、葬儀が終わった後で捨ててしまうのももったいない、との考えが大半を占めているようである。
【０００６】
そこでこの考案の目的は、「もったいない」の精神にも通じ、使い捨てでも良いのではとの可能性に思い至り、しかも原則として地産地消を基本にしつつ、低価格にて上記目的に使用できる優良な使い捨て用寝具を提供しようとするものである。
【課題を解決するための手段】
【０００７】
この考案は前記した課題を達成するために、下記の技術的手段を採用した。
請求項１の使い捨て用寝具類は、ヒノキやスギなどの削り屑もしくはチップを和紙等の天然素材の通気性シートで包装したことを特徴とするものである。
【０００８】
請求項２の使い捨て用寝具類は、前記和紙等の天然素材の通気性シートによる包装が、複数の区画に区分する中仕切りを有し、各区画に均等にヒノキやスギなどの削り屑もしくはチップを収納したことをも特徴とするものである。
【０００９】
請求項３の使い捨て用寝具類は、前記和紙等の天然素材の通気性シートが、目の粗い布や所定の間隔で配置した糸によって補強されていることをも特徴とするものである。
【考案の効果】
【００１０】
この考案の使い捨て用寝具類は、下記のような利点を有している。
１）清潔で、常にさわやかな感触で使用することができ、また健康的で、ヒノキやスギによる癒やし効果がある。
２）簡単かつ迅速に製造することができ、安価で自然環境に優しい、使い捨て使い捨て用寝具類が提供できる。
３）可燃ごみとして処理できる。
【図面の簡単な説明】
【００１１】
【図１】この考案の使い捨て用寝具類の１実施形態を示す斜視図である。
【図２】敷き布団の実施形態を示す斜視図である。
【図３】（ａ）はおねしょマットの実施形態を示す平面図、（ｂ）は側面図、（ｃ）は使用状態の斜視図である。
【図４】枕カバーマットの斜視図である。
【図５】車いす用マットの平面図である。
【図６】（ａ），（ｂ）は車いす用マットの例を示すそれぞれ断面図である。
【図７】この考案の使い捨て用寝具類の他の実施形態を示す斜視図である。
【図８】この考案の使い捨て用寝具類のさらに別の実施形態を示す概略図である。
【図９】（ａ）は円形枕の実施形態を示す平面図、（ｂ）は側面図である。
【図１０】（ａ）は長方形枕の実施形態を示す平面図、（ｂ）は側面図である。
【図１１】脚載せマットの斜視図である。
【図１２】整体用パーツの斜視図である。
【図１３】削り屑の斜視図である。
【図１４】削り屑の加工方法を示す斜視図である。
【図１５】削り屑を削り取った木材の斜視図である。
【図１６】木材チップ（おがくず）の加工方法を示す斜視図である。
【考案を実施するための形態】
【００１２】
以下、この考案の使い捨て用寝具の実施の形態を図面に基いて詳細に説明する。
図１はこの考案の使い捨て用寝具が用いられるパーツの概略を示すものであり、例えばベッド１０１の上で使用されるものである。
すなわち、就寝者１０２の敷き布団１０３やおねしょカバー１０４、枕カバーマット１０５、床ずれ防止マット１０７等のパーツが使用されている。
図２に示す敷き布団１０３の実施形態において、１１はヒノキやスギなどの削り屑もしくはチップであって、この削り屑もしくはチップ１１は、和紙等の天然素材からなる通気性シート１２で包装されている。
このような包装作業においては、通常の縫製のみならず、前記和紙等の天然素材の通気性シート１２であるメリットを利用して接着剤等で簡易迅速に包装することができる。
【００１３】
図３に示すおねしょカバー１０４の実施形態において、おねしょカバー１０４はヒノキやスギなどの削り屑もしくはチップ（図示省略）を和紙等の天然素材からなる通気性シート１２で複数区画に包装し、その両側には通気性シート１２が所定の長さに延設されている。１２ｂはおねしょの漏れを防ぐ防水シートである。
したがって図１のように、就寝者１０２の腰部付近に敷設しその両側を敷き布団１０３の下側に挿し込んで使用することができる。
【００１４】
図４に示す枕カバーマット１０５の実施形態において、枕カバーマット１０５はヒノキやスギなどの削り屑もしくはチップ（図示省略）を和紙等の天然素材からなる通気性シート１２で複数区画に包装している。したがって、就寝者１０２の枕カバーの上から枕カバーマット１０５を巻き付けて使用することができる。
【００１５】
図５には、車いす用マット１０６の実施形態を示す。
車いす用マット１０６もヒノキやスギなどの削り屑もしくはチップ１１を和紙等の天然素材からなる通気性シート１２で複数区画に包装している。したがって、車いすの座席の上に敷いて使用することができる。
図６（ａ），（ｂ）はそれぞれ車いす用マット１０６の沈み込みを防止する構造の例を示し、（ａ）は円弧状の膨らみを持たせた例、（ｂ）はＶ字状断面の膨らみを持たせた例を示すものである。
【００１６】
前記各実施形態において、前記和紙等の天然素材の通気性シート１２による包装は、ほぼ等間隔に区分する中仕切り１３によって複数の区画１４に区分され、各区画１４に均等にヒノキやスギなどの前記削り屑もしくはチップ１１が収納されている。
前記和紙等の天然素材の通気性シート１２は、それ自体で充分な引き裂き強度を有することが望ましく、また目の粗い布や所定の間隔で配置した糸によって補強しておくことにより、引き裂き強度を高めておくことができる。
このようにすれば、取り扱う際に簡単に破損したり、前記削り屑もしくはチップ１１が外部に散逸してしまわないようになり、使い捨て用寝具類としての十分な強度を与えることができる。
【００１７】
図７はこの考案の使い捨て用寝具が用いられる他のパーツの概略を示すものであり、例えばベッド１０１の上で床ずれ防止マット１０７が使用される場合を示すものである。
このように床ずれ防止マット１０７を就寝者１０２の背中や脚部に敷き、所定時間ごとにその場所を変えることによって床ずれを防止することができる。
【００１８】
図８はこの考案の使い捨て用寝具が用いられる他のパーツの概略を示すものであり、例えば棺おけ１０８の中で敷き布団や掛け布団、床ずれ防止マット１０７が使用される場合を示すものである。前記敷き布団や掛け布団としては図２と同様のものが使用可能である。
【００１９】
図９に示す円形枕１１０の実施形態において、枕１１０はドーナツ型に中央がくり抜かれた形状で頭部の収まりがよい。もちろん、前記ドーナツ型枕１１０のリング部分を構成する通気性シート１２内にはヒノキやスギなどの削り屑もしくはチップ１１が収納されている。
同様に図１０に示す長方形枕１２０の実施形態において、枕１２０は構成する通気性シート１２内にはヒノキやスギなどの削り屑もしくはチップ（図示省略）が収納されている。
【００２０】
図１１に示す脚載せマット１３０の実施形態において、脚載せマット１３０は山形断面の形状で脚部を無理のない山形に乗せることができる。もちろん、前記脚載せマット１３０を構成する通気性シート１２内にはヒノキやスギなどの削り屑もしくはチップ１１が収納されている。
図１２に示す整体用パーツ１４０の実施形態において、整体用パーツ１４０は円形断面の棒状で前記棺おけ１０８内で遺体を正しい姿勢に保持するために使用される。そのサイズは大小複数の種類のものを用意しておき、前記目的に応じて遺体の適所を支持して、整体のために使用することができる。
もちろん、前記整体用パーツ１４０を構成する通気性シート１２内にはヒノキやスギなどの削り屑もしくはチップ１１が収納されている。
【００２１】
前記削り屑もしくはチップ２１としては間伐材等の低コストの原料を用いることが望ましく、また木材の加工の仕方としてもさまざまな形態が考えられる。
ちなみに、枕にはチップ形状のものが望ましく、敷き布団は削り屑もしくはチップ形状、また掛け布団には薄い削り屑が望ましいと考えられる。
その素材もヒノキ単独、スギ単独、あるいはその混合物が適宜使用可能であり、また混合の比率や削り屑かチップのどちらを使用するかも、前記した用途等に応じて適宜決定することができる。
【００２２】
図１３はヒノキやスギなどの好ましい削り屑を示すものであり、３〜１０ｍｍ程度の直径の筒状に丸められた削り屑２１である。この削り屑２１の厚さや直径、その長さ等は、前記した用途等に応じて適宜決定することができる。
そして得られた筒状に丸められた削り屑２１によれば、フィットンチッドの発散性が良好な上、厚さや直径、その長さ等を適宜決定することにより、筒状に丸められた削り屑２１にかかる負荷（矢印参照）を吸収して、得られた使い捨て寝具類に所望のふかふか感や硬さを持たせることができる。
また、木材の加工の仕方は様々に考えられるが、要は木の繊維を粉砕して体積を大きくすることにより、フィットンチッドの発散性が良好になり、また荷重を分散してソフトに支持することができ、しかも身体へのなじみを非常に良好なものとなるのである。
【００２３】
図１４は、前記削り屑２１を削り出す場合を示すものである。
すなわち、ヒノキやスギなどの所定の幅の木材２２を、丸棒状フレーム２４の周囲に適宜間隔で切削刃２５を植設した切削具２３を用いて切削する。その際、切削具２３の直径や木材２２の幅等を調整することにより、所望の厚さや直径、その長さ等を有する削り屑２１を得ることができる。
図１５は前記削り屑２１を削り出した後の木材２２を示す。
【００２４】
図１６は、前記おがくず３１を削り出す場合を示すものである。
すなわち、ヒノキやスギなどの所定の幅の木材３２を、丸鋸等の切削具３３を用いて切削する。その際、切削具３３の歯の大きさや木材３２の材質等を調整することにより、所望のサイズ等を有するおがくず３１を得ることができる。
【００２５】
なお、ヒノキやスギについては下記のような作用効果があると指摘されている。
○  木材等の成分でヒノキから出る成分としてフィットンチッドがある、フィットンチッドは樹木から発散される芳香生物質であり香りがよく心地よさを与え抗菌、殺蟻、消臭作用防ダニ効果、殻虫作用としてはアンモニア系、アミン系、加齢臭でもあるノネナール等の消臭効果も有し心身の増進に役立つ。
○  ヒノキ材は熱や湿気を吸収し、又放出する効果もあり、夏涼しく冬暖かいという作用も有する。
○  ヒノキ材は院内感染で問題になっている毒性の強いＭＲＳＡ（メチシリン耐性黄色球菌）等を死滅させる強力な殺菌効果も確認されている。
【産業上の利用可能性】
【００２６】
この考案の使い捨て寝具類の用途としては具体的に下記のようなものが考えられる。
◎使い捨て寝具（病医院、介護施設等で使用する寝具類等の小物）
オネショ等専用敷きマット、床ずれ専用マット、床ずれ整体用マット、車椅子専用敷き布団、ペット用丸座布団、抱き枕、その他
死者の整体用詰め物、専用枕（丸型、一般型）、棺おけの敷き布団、掛け布団
◎使い捨て寝具セット
死者を自宅に迎え入れるときに使う敷き布団、掛け布団、敷布、枕のセット
◎使い捨て寝具セット
自然災害等の非常時に避難先で使う敷き布団、掛け布団、敷布、枕のセット
介護施設等で使う敷き布団、掛け布団、枕、座布団
◎一般寝具
夏季用敷布団や座布団のみならず、高級寝具や高級座団等としての使用も可能
◎ペット用使い捨て寝具
あらゆるペットの好み、形体に合ったペット用寝具等としての使用も可能。
【符号の説明】
【００２７】
１１  削り屑もしくはチップ
１２  通気性シート
１２ｂ  防水シート
２１  削り屑
２２  木材
２３  切削具
２４  丸棒状フレーム
２５  切削刃
３１  おがくず
３２  木材
３３  切削具
１０１  ベッド
１０２  就寝者
１０３  敷き布団
１０４  おねしょカバー
１０５  枕カバーマット
１０６  車いす用マット
１０７  床ずれ防止マット
１０８  棺おけ
１１０  円形枕
１２０  長方形枕
１３０  脚載せマット
１４０  整体用パーツ
【図１】
0003160798.tif 000003
【図２】
0003160798.tif 000004
【図３】
0003160798.tif 000005
【図４】
0003160798.tif 000006
【図５】
0003160798.tif 000007
【図６】
0003160798.tif 000008
【図７】
0003160798.tif 000009
【図８】
0003160798.tif 000010
【図９】
0003160798.tif 000011
【図１０】
0003160798.tif 000012
【図１１】
0003160798.tif 000013
【図１２】
0003160798.tif 000014
【図１３】
0003160798.tif 000015
【図１４】
0003160798.tif 000016
【図１５】
0003160798.tif 000017
【図１６】
0003160798.tif 000018